(57)【要約】【課題】歯科医院等において、歯科治療中に発生する可燃性の汚物（例えば、脱脂綿）を直ちに焼却除去するようにし、医内を清潔に維持し、院内感染の発生や悪臭の発生がないようにする。【解決手段】歯科治療において発生する可燃性汚物が投入される汚物投入口（又は汚物投入ボックス）２０と、該汚物投入口（又はボックス）２０に投入された汚物を搬送する汚物搬送パイプ３０と、該汚物搬送パイプ３０の一方の側に設けられて前記汚物投入口（又はボックス）２０に投入された汚物を吸引して処理する汚物処理装置５０とを有する。該汚物処理装置５０は、前記汚物投入ボックス２０に投入された汚物吸引装置と、吸引した汚物を燃焼する燃焼装置とを有し、該燃焼装置にて、吸引した汚物を焼却する。【選択図】　　　　図１
2004033473.tif 000002
【特許請求の範囲】
【請求項１】
歯科治療において発生する可燃性汚物の処理装置であって、該処理装置は、前記汚物が投入される汚物投入口と、該汚物投入口に投入された汚物を搬送する汚物搬送パイプと、該汚物搬送パイプの一方の側に設けられて前記汚物投入口に投入された汚物を吸引する吸気装置と、前記搬送パイプを通して搬送されてきた汚物が排出されて燃焼される燃焼装置とを有し、前記汚物投入口に投入された汚物を前記吸気装置にて吸引して前記搬送パイプを通して前記燃焼装置に導き、該燃焼装置にて焼却するようにしたことを特徴とする歯科治療における汚物処理装置。
【請求項２】
空気清浄処理装置を有し、前記汚物を燃焼した後の燃焼空気は、前記吸気装置によって吸引され、前記空気清浄処理装置にて清浄されて排出されることを特徴とする請求項１に記載の歯科治療における汚物処理装置。
【請求項３】
前記汚物投入口は、歯科治療ユニットの任意所定の箇所に着脱自在に取り付けられ、該汚物投入口と前記吸気装置とがフレキシブルチューブで連結され、前記吸気装置及び燃焼装置が一体的に移動可能であることを特徴とする請求項１又は２に記載の歯科治療における汚物処理装置。
【請求項４】
前記汚物投入口は、歯科治療ユニットの任意所定の箇所に着脱自在に取り付けられ、該汚物投入口と前記吸気装置とがフレキシブルチューブに連結され、前記吸気装置及び燃焼装置は所定位置に固定配設されていることを特徴とする請求項１又は２に記載の歯科治療における汚物処理装置。
【請求項５】
歯科治療において発生する可燃性汚物の処理装置であって、該処理装置は、前記汚物が投入される汚物投入口と、該汚物投入口に投入された汚物を吸引する吸気装置と、吸引されてきた汚物を燃焼する燃焼装置と、燃焼後の空気を洗浄する洗浄装置とを一体的に形成してなることを特徴とする歯科治療における汚物処理装置。
【発明の詳細な説明】
【０００１】
【発明の属する技術分野】
本発明は、歯科治療において使用した可燃性の汚物、例えば、歯科治療において、口腔内を清掃するため等に用いた脱脂綿等の可燃性の汚物を院内で直ちに処理し得るようにした汚物処理装置に関する。
【０００２】
【従来の技術】
図４は、本発明による汚物処理装置が適用される歯科医院において一般的に使用されている歯科治療ユニットの一例を示す全体構成図で、図中、１０は歯科治療ユニットを示し、該ユニット１０は、治療椅子１，ワークテーブル２，スピットン３，無影灯４，インスツルメントホルダー５，フットスイッチ６，アシスタント用インスツルメントホルダー７等から成り、インスツルメントホルダー５には、歯科治療において使用する種々のインスツルメント８が収納されており、周知のように、歯科治療に当り、患者は椅子１に座り、頭を安頭台９に固定して治療を受ける。治療中、術者は治療椅子１を上下動，倒起動，傾斜動等させて、患者を治療しやすい姿勢にし、インスツルメントホルダー５より所望のインスツルメント８を取り出して治療を行なう。
【０００３】
アシスタント用ホルダー７には、口腔内バキューム管１１，シリンジ１２，排唾管１３等が準備されており、治療時、患者の口腔内に生じる汚物或いは汚液，唾液等を吸引・排出するようにしている。このアシスタント用ホルダー７は、例えば、図に示すように、アーム１４を通して固定部材、例えば、給排水ボックス１５に固定されている。周知のように、バキューム管１１は口腔内の汚物（例えば、脱脂綿，歯牙の破片等）を吸引排出して口腔内を清掃するもの、シリンジ１２は口腔内をスプレーして清掃するもの、排唾管１３は歯科治療中、患者の口腔内に入れられ、口腔内の唾液、歯科治療によって生じた血液、その他の汚水を吸引排出するものであり、これらはエアーホース１６を通してバキュームポンプに連通されている。
【０００４】
上述のように、歯科治療においては、治療中に、汚水（唾液、血液等）や汚物（脱脂綿等）を発生するが、汚水は、例えば、汚水処理（殺菌、脱臭）した後、下水として直ちに流出させることができるので、これによって院内感染が発生したり、院内に悪臭が漂うようなことはほとんどない。しかし、汚物については、例えば、汚物ボックス等に一時留めておき、その後、医療廃棄物として、ビニール袋等に入れ替えられ、ゴミ収集車により収集運搬され、焼却場にて焼却されている。
【０００５】
【発明が解決しようとする課題】
上述のように、歯科治療においては、治療中に発生する可燃性の汚物を一旦汚物ボックス等に留めておくが、その間に、細菌が繁殖して院内感染が発生したり、悪臭が発生したり、汚物が患者に見えてしまう等の不衛生な状態が発生する。
【０００６】
本発明は、上述のごとき実情に鑑みてなされたもので、特に、歯科医院等において、歯科治療中に発生する可燃性の汚物（例えば、脱脂綿）を直ちに焼却除去するようにし、院内を清潔に維持し、院内感染の発生や悪臭の発生がないようにすることを目的としてなされたものである。
【０００７】
【課題を解決するための手段】
請求項１の発明は、歯科治療において発生する可燃性汚物の処理装置であって、該処理装置は、前記汚物が投入される汚物投入口と、該汚物投入口に投入された汚物を搬送する汚物搬送パイプと、該汚物搬送パイプの一方の側に設けられて前記汚物投入口に投入された汚物を吸引する吸気装置と、前記搬送パイプを通して搬送されてきた汚物が排出されて燃焼される燃焼装置とを有し、前記汚物投入口に投入された汚物を前記吸気装置にて吸引して前記搬送パイプを通して前記燃焼装置に導き、該燃焼装置にて焼却するようにしたことを特徴としたものである。
【０００８】
請求項２の発明は、請求項１の発明において、空気清浄処理装置を有し、前記汚物を燃焼した後の燃焼空気は、前記吸気装置によって吸引され、前記空気清浄処理装置にて清浄されて排出されることを特徴としたものである。
【０００９】
請求項３の発明は、請求項１又は２の発明において、前記汚物投入口は、歯科治療ユニットの任意所定の箇所に着脱自在に取り付けられ、該汚物投入口と前記吸気装置とがフレキシブルチューブで連結され、前記吸気装置及び燃焼装置が一体的に移動可能であることを特徴としたものである。
【００１０】
請求項４の発明は、請求項１又は２の発明において、前記汚物投入口は、歯科治療ユニットの任意所定の箇所に着脱自在に取り付けられ、該汚物投入口と前記吸気装置とがフレキシブルチューブに連結され、前記吸気装置及び燃焼装置は所定位置に固定配設されていることを特徴としたものである。
【００１１】
請求項５の発明は、歯科治療において発生する可燃性汚物の処理装置であって、該処理装置は、前記汚物が投入される汚物投入口と、該汚物投入口に投入された汚物を吸引する吸気装置と、吸引されてきた汚物を燃焼する燃焼装置と、燃焼後の空気を洗浄する洗浄装置とを一体的に形成してなることを特徴としたものである。
【００１２】
【発明の実施の形態】
図１は、本発明による可燃性汚物装置の各実施形態を示す概略構成図で、図中、１は歯科治療椅子、２はワークテーブルで、図示例の場合、歯科治療椅子１とワークテーブル２は別体に構成され、ワークテーブル２はキャスタにより移動自在となっているが、図４に示したように、歯科治療椅子１とワークテーブル２とは一体的に構成されていてもよい。２０は歯科治療中に発生した可燃性の汚物を投入する汚物投入口（又は汚物投入ボックス）、３０は該汚物投入口２０内に投入された汚物を搬送するパイプ（例えば、フレキシブルチューブ）、４０は中継ボックス、５０は該パイプ３０を通して搬送されてきた可燃性の汚物を焼却処理する汚物処理装置で、パイプ３０を通して搬送されてきた可燃性の汚物は、該汚物処理装置５０にて焼却される。
【００１３】
図１（Ａ）は、汚物処理装置５０が単体として構成され、院内の任意所望の箇所に配設され、該汚物処理装置５０から延長されるフレキシブルチューブ３０を通して、歯科治療ユニットの任意所望の箇所、例えば、ワークテーブル２に取り付けられている汚物投入ボックス（蓋付）２０に連結されている。なお、フレキシブルチューブ３０の先端に汚物投入口（開口＝蓋なし）２０が一体的に設けられている時は、該汚物投入口２０が任意所望の箇所に取り付けられる。汚物処理装置５０には、後述するように、燃焼装置は勿論、吸気装置（バキュームポンプ）が設けられており、汚物投入口又は汚物投入ボックスに投げ込まれた汚物を該吸気装置により吸引して前記パイプ（又はフレキシブルチューブ）３０を通して燃焼装置に導き、該燃焼装置にて焼却するようにしている。
【００１４】
図１（Ｂ）に示した例は、院内に固定の中継ボックス４０を設け、汚物投入口２０と該中継ボックス４０とをフレキシブルチューブ３０で連結し、該中継ボックス４０と院外の機械室等に設けられた汚物処理装置５０とを固定パイプ３１で連結し、院内をすっきりし（院外に汚物処理装置５０を設けるようにして）、その分、院内のスペースを確保するようにしたもので、設備の形態が異なるだけで、実質的には、図１（Ａ）示した実施形態と同一の作用をするものである。
【００１５】
図１（Ｃ）は、本発明の更に他の実施形態を示す概略構成図で、図中、６０はシンク（流し台）で、この例は、汚物投入口（汚物投入ボックス）２０を院内の１箇所に限らず、複数箇所に設けるようにした例を示すものであり、更には、汚物投入口（汚物投入ボックス）２０を設ける場所も、歯科治療ユニットに限定されることなく、シンク６０等、歯科治療室の任意所望の場所に設けてもよい例を示すものである。
【００１６】
図２は、本発明の他の実施形態を説明するための要部構成図で、この実施例は、シンク６０内に本発明による汚物処理装置５０を一体的に組み込んだ場合の例を示すもので、シンク６０は据え置き（固定）式でも可搬（移動）式でもよく、可搬式の場合は、シンク用の給水チューブや汚物処理装置における吸気ポンプ用の電源コードを備えている。なお、図２では、本発明による汚物処理装置５０をシンク６０に一体的に設けた例を示したが、シンクに限ることなく他の機器と一体的に組み合せてもよく、或いは、汚物処理装置部のみを単独で構成してもよい。
【００１７】
図３は、本発明による汚物処理装置５０の一例を説明するための要部構成図で、図中、３０（又は３１）は、前述のごとくして汚物投入口（又は汚物投入ボックス）２０に投入された可燃性の汚物が吸引、搬送されてくるパイプで、該パイプ３０（又は３１）を通して搬送されてきた汚物７０は、汚物処理装置５０内において、汚物燃焼装置部５１で下部に落下し、トラップ（例えば、金属板又は金網）５２上に留まる。５３はガスバーナで、前述のようにしてトラップ５２上に留った汚物７０は、該ガスバーナ５３によって燃焼される。燃焼されないもの、燃焼後の燃え滓等は、トラップ５２ごと汚物処理装置５０より取り出され、廃棄される。なお、図３には、汚物（可燃性）７０をガスバーナ５３で燃焼させる例を示したが、トラップ５２を電気ヒータで構成し、又はトラップ５２の下部に電気ヒータを設けておき、該電気ヒータで汚物７０を燃焼させるようにしてもよい。トラップ５２の下部にはトレイ５４が挿脱自在に設けられており、トラップ５２より落下した汚物や汚水を廃棄するようになっている。
【００１８】
汚物処理装置５０内には、前記パイプ３０（又は３１）に連通するバキュームポンプ５５が設けられており、前述のごとくして、汚物投入口に汚物が投入された時、又は、汚物投入ボックスの蓋が開けられた時に、より具体的には、汚物が汚物投入口又は汚物投入ボックスに投入されたことが検知された時に該バキュームポンプ５５が起動して、投入された汚物を吸引して汚物処理装置５０に導き、汚物燃焼装置部５１のトラップ５２上に落下させる。トラップ５２上に汚物が落下すると、具体的には、トラップ上に汚物が落下したことが検知されると、ガスバーナ５３が点火し、或いは、電気ヒータが加熱され、落下した汚物７０が燃焼される。汚物燃焼中、バキュームポンプ５５は、弱い空気吸引力で駆動され、燃焼したガスを吸引し、殺菌、脱臭、消煙等を行う排気空気処理装置５６を通して排出される。
【００１９】
【発明の効果】
以上の説明から明らかなように、本発明によると、歯科治療中に発生する可燃性の汚物を、汚物投入口（又は、汚物投入ボックス）に投げ込むと、該汚物を直ちに燃焼してしまうので、医院内を清潔に保つことができ、汚物による感染（院内、院外感染）を防ぐことができる。また、患者に汚物を見せないようにして患者に医院の清潔感を与え、更には、汚物を処理する手間を省き、かつ、医院からの廃棄物の量を減らし、環境汚染の防止に寄与する。
【図面の簡単な説明】
【図１】本発明による汚物処理装置の適用形態の例を示す概略構成図である。
【図２】本発明による汚物処理装置の他の適用形態の例を示す概略構成図である。
【図３】本発明による汚物処理装置の一実施例を説明するための概略構成図である。
【図４】本発明が適用される歯科医院内における歯科治療ユニットの一例を説明するための構成図である。
【符号の説明】
１…歯科治療椅子、２…ワークテーブル、１０…歯科治療ユニット、２０…汚物投入口（汚物投入ボックス）、３０，３１…汚物搬送パイプ、４０…中継ボックス、５０…汚物処理装置、５１…汚物燃焼装置部、５２…汚物トラップ、５３…ガスバーナ、５４…トレイ、５５…バキュームポンプ、５６…燃焼（排気）空気処理装置、６０…シンク（流し台）、７０…汚物。
【図１】
2004033473.tif 000003
【図２】
2004033473.tif 000004
【図３】
2004033473.tif 000005
【図４】
2004033473.tif 000006